(57)【要約】      （修正有）【課題】コネクタの絶縁ハウジング内に導電性端子を確実に保持出来る導電性端子およびコネクタを提供する。【解決手段】導電性端子２００は、コネクタの絶縁ハウジングに取り付けるように構成されている。導電性端子は、導電性端子の前部に位置し、相手側コネクタの相手側端子に係合するように構成された嵌合部２１０と、導電性端子の後部に位置し、ワイヤ上に圧着するように構成された圧着部２２０、２３０とを備える。押圧部２４０が圧着部の後端部に形成されて外方に延び、導電性端子は、押圧部を押すことによってコネクタの絶縁ハウジング内に保持される。端子位置保証部材は、導電性端子の押圧部に接触することにより、端子位置保証部材と導電性端子との接触面積を増加させ、絶縁ハウジング内に確実に導電性端子を保持する。【選択図】図２
2019160790.tif 000002
【特許請求の範囲】
【請求項１】
コネクタの絶縁ハウジング（１００）に取り付けるように構成された導電性端子（２００）であって、
前記導電性端子（２００）は、
−前記導電性端子（２００）の前部に位置し、相手側コネクタの相手側端子に係合するように構成された嵌合部（２１０）と、
−前記導電性端子（２００）の後部に位置し、ワイヤ上に圧着するように構成された圧着部（２２０、２３０）と、を備え、
押圧部（２４０）が前記圧着部（２２０、２３０）の後端部に形成されて外方に延び、前記導電性端子（２００）は、前記押圧部（２４０）を押すことによって前記コネクタの前記絶縁ハウジング（１００）内に保持されるように構成されている、
導電性端子。
【請求項２】
前記コネクタは、前記絶縁ハウジング（１００）に挿入される端子位置保証部材（３００）を備え、
前記導電性端子（２００）は、前記導電性端子（２００）の前記押圧部（２４０）を前記端子位置保証部材（３００）により押すことによって前記絶縁ハウジング（１００）内に保持されるように構成されている、
請求項１に記載の導電性端子。
【請求項３】
前記圧着部（２２０、２３０）は、
前記ワイヤの裸導体上に圧着するように構成された第１の圧着部（２２０）と、
前記第１の圧着部（２２０）の後方に位置し、前記ワイヤの絶縁シース上に圧着するように構成された第２の圧着部（２３０）と、を備え、
前記押圧部（２４０）は前記第２の圧着部（２３０）の後端部に形成されている、
請求項１に記載の導電性端子。
【請求項４】
前記押圧部（２４０）に、前記端子位置保証部材（３００）の前端面に係合するように構成された平坦面（２４０ａ）が形成され、
前記端子位置保証部材（３００）の前記前端面は、前記押圧部（２４０）の前記平坦面（２４０ａ）に当接して前記導電性端子（２００）を前方に押すように構成されている、
請求項１に記載の導電性端子。
【請求項５】
前記第２の圧着部（２３０）は、Ｕ字形ベース（２３１）と、前記Ｕ字形ベース（２３１）の二辺からそれぞれ延びる一対の側部（２３２）とを備えている、
請求項３に記載の導電性端子。
【請求項６】
前記押圧部（２４０）は、前記第２の圧着部（２３０）の前記Ｕ字形ベース（２３１）に形成されている、
請求項５に記載の導電性端子。
【請求項７】
前記Ｕ字形ベース（２３１）の後端面（２３１ａ）は平坦面であり、
前記押圧部（２４０）は、前記Ｕ字形ベース（２３１）の前記後端面（２３１ａ）に接続され、前記Ｕ字形ベース（２３１）に対して約９０°外方に曲がっている、
請求項６に記載の導電性端子。
【請求項８】
所定の深さの切欠き（２３３）が前記Ｕ字形ベース（２３１）の後端面（２３１ａ）に形成され、
前記押圧部（２４０）は、前記切欠き（２３３）の底面に接続され、前記Ｕ字形ベース（２３１）に対して約９０°外方に曲がっている、
請求項６に記載の導電性端子。
【請求項９】
前記押圧部（２４０）は、前記第２の圧着部（２３０）の前記側部（２３２）にも形成されている、
請求項６から８のいずれか一項に記載の導電性端子。
【請求項１０】
前記押圧部（２４０）は、前記側部（２３２）の後端面（２３２ａ）に接続され、前記側部（２３２）に対して約９０°外方に曲がっている、
請求項９に記載の導電性端子。
【請求項１１】
複数の前記押圧部（２４０）が、前記第２の圧着部（２３０）の前記後端部に形成され、前記第２の圧着部（２３０）の垂直二分面の両側に対称に配置されている、
請求項１０に記載の導電性端子。
【請求項１２】
前記導電性端子（２００）の前記嵌合部（２１０）は、挿入キャビティを画定し、前記挿入キャビティに挿入された前記相手側端子を締め付けるように構成された一対の弾性コンタクトアーム（２１２）を備えている、
請求項１に記載の導電性端子。
【請求項１３】
２つの開口部（２１１）が、前記嵌合部（２１０）における前記挿入キャビティの一対の側壁にそれぞれ形成され、
前記弾性コンタクトアーム（２１２）の後端部が前記開口部（２１１）の後部側壁にそれぞれ接続され、
前記弾性コンタクトアーム（２１２）の前端部が前記嵌合部（２１０）の前記挿入キャビティ内にそれぞれ突出している、
請求項１２に記載の導電性端子。
【請求項１４】
コネクタであって、
前記コネクタは、
−絶縁ハウジング（１００）と、
−前記絶縁ハウジング（１００）に取り付けられた導電性端子（２００）と、
−前記絶縁ハウジング（１００）に挿入され、前記導電性端子（２００）を前記絶縁ハウジング（１００）内に保持するように構成された端子位置保証部材（３００）と、を備え、
前記導電性端子（２００）は、請求項１から１３のいずれか一項に記載の前記導電性端子であり、
前記導電性端子（２００）は、前記導電性端子（２００）の前記押圧部（２４０）を前記端子位置保証部材（３００）により押すことによって前記絶縁ハウジング（１００）内に保持されている、
コネクタ。
【発明の詳細な説明】
【技術分野】
【０００１】
関連出願の相互参照
本出願は、２０１８年３月９日に出願された中国特許出願第２０１８１０１９３９８１．４号の優先権を主張する。その開示全体が、参照により本明細書に組み込まれている。
【０００２】
本開示は、導電性端子および導電性端子を備えたコネクタに関する。
【背景技術】
【０００３】
先行技術において、コネクタは、一般に、絶縁体、導電性端子、および端子位置保証（ＴＰＡ）部材を備える。導電性端子は絶縁体の取付溝に取り付けられ、ＴＰＡ部材は絶縁体の後部から絶縁体の取付溝に挿入される。ＴＰＡ部材の前端面は、ワイヤの絶縁シースに圧着される、導電性端子の絶縁シース圧着部の後端面に接触し、導電性端子を前方に押すことによって、導電性端子を絶縁体内に保持して導電性端子の緩みを防止する。
【発明の概要】
【発明が解決しようとする課題】
【０００４】
先行技術において、ＴＰＡ部材は、導電性端子を保持するために、導電性端子の絶縁シース圧着部の後端面に接触する必要がある。
しかしながら、導電性端子の絶縁シース圧着部の後端面の面積が小さいため、ＴＰＡ部材と絶縁シース圧着部の後端面との接触面積が小さくなり、したがってＴＰＡ部材は、導電性端子を絶縁体内に確実に保持することができない。
【０００５】
加えて、先行技術において、ワイヤの絶縁シースは一定の弾性を有するため、導電性端子の絶縁シース圧着部をワイヤの絶縁シースに圧着するときに、導電性端子の圧着部がワイヤの絶縁シースに引っかかることがある。これにより、ＴＰＡ部材が導電性端子の絶縁シース圧着部に接触しなくなり、ＴＰＡ部材が故障するおそれがある。
【０００６】
本開示の目的は、先行技術に存在する上記その他の問題および欠点の少なくとも１つを解決することである。
【課題を解決するための手段】
【０００７】
本開示の態様の例示的な実施形態によれば、コネクタの絶縁ハウジングに取り付けるように構成された導電性端子が提供される。この導電性端子は、導電性端子の前部に位置し、相手側コネクタの相手側端子に係合するように構成された嵌合部と、導電性端子の後部に位置し、ワイヤ上に圧着するように構成された圧着部とを備える。押圧部が圧着部の後端部に形成されて外方に延び、導電性端子は、押圧部を押すことによってコネクタの絶縁ハウジング内に保持されるように構成されている。
【０００８】
本開示の例示的な実施形態によれば、コネクタは、絶縁ハウジングに挿入された端子位置保証部材を備える。導電性端子は、導電性端子の押圧部を端子位置保証部材により押すことによって絶縁ハウジング内に保持されるように構成されている。
【０００９】
本開示の例示的な実施形態によれば、圧着部は、ワイヤの裸導体上に圧着するように構成された第１の圧着部と、第１の圧着部の後方に位置し、ワイヤの絶縁シース上に圧着するように構成された第２の圧着部とを備え、押圧部は第２の圧着部の後端部に形成されている。
【００１０】
本開示の例示的な実施形態によれば、押圧部に、端子位置保証部材の前端面に係合するように構成された平坦面が形成され、端子終端位置保証部材の前端面は、押圧部の平坦面に当接して導電性端子を前方に押すように構成されている。
【００１１】
本開示の例示的な実施形態によれば、第２の圧着部は、Ｕ字形ベースと、Ｕ字形ベースの二辺からそれぞれ延びる一対の側部とを備えている。
【００１２】
本開示の例示的な実施形態によれば、押圧部は、第２の圧着部のＵ字形ベースに形成されている。
【００１３】
本開示の例示的な実施形態によれば、Ｕ字形ベースの後端面は平坦面である。押圧部は、Ｕ字形ベースの後端面に接続され、Ｕ字形ベースに対して約９０°外方に曲がっている。
【００１４】
本開示の例示的な実施形態によれば、所定の深さの切欠きがＵ字形ベースの後端面に形成される。押圧部は、切欠きの底面に接続され、Ｕ字形ベースに対して約９０°外方に曲がっている。
【００１５】
本開示の例示的な実施形態によれば、押圧部は、第２の圧着部の側部にも形成されている。
【００１６】
本開示の例示的な実施形態によれば、押圧部は、側部の後端面に接続され、側部に対して約９０°外方に曲がっている。
【００１７】
本開示の例示的な実施形態によれば、複数の押圧部が、第２の圧着部の後端部に形成され、第２の圧着部の垂直二分面の両側に対称に配置されている。
【００１８】
本開示の例示的な実施形態によれば、導電性端子の嵌合部は、挿入キャビティを画定する。導電性端子の嵌合部は、挿入キャビティに挿入された相手側端子を締め付けるように構成された一対の弾性コンタクトアームを備えている。
【００１９】
本開示の例示的な実施形態によれば、開口部が、嵌合部における挿入キャビティの一対の側壁にそれぞれ形成される。弾性コンタクトアームの後端部が開口部の後部側壁に接続され、弾性コンタクトアームの前端部が嵌合部の挿入キャビティ内に突出している。
【００２０】
本開示の別の態様の例示的な実施形態によれば、コネクタが提供される。
このコネクタは、絶縁ハウジングと、絶縁ハウジングに取り付けられた、本明細書に記載の導電性端子と、絶縁ハウジングに挿入され、導電性端子を絶縁ハウジング内に保持するように構成された端子位置保証部材とを備え、導電性端子は、導電性端子の押圧部を端子位置保証部材により押すことによって絶縁ハウジング内に保持されている。
【００２１】
本開示の様々な例示的な実施形態において、外方に延びる押圧部は、ワイヤに圧着するように構成された導電性端子の圧着部の後端部に形成されるため、端子位置保証部材は、押圧部を押すことによって導電性端子を絶縁ハウジング内に確実に保持することができる。
【００２２】
本開示の他の目的および利点は、添付図面と併せた本開示の以下の説明から明らかになり、本開示の包括的な理解をもたらす助けとなり得る。
【図面の簡単な説明】
【００２３】
【図１】本開示の例示的な実施形態によるコネクタの斜視図である。
【図２】図１に示したコネクタの導電性端子の斜視図である。
【図３】本開示の別の例示的な実施形態による、導電性端子の斜視図である。
【図４】本開示のさらに別の例示的な実施形態による、導電性端子の斜視図である。
【発明を実施するための形態】
【００２４】
以下で、本開示の技術的解決策について、添付図面と併せたこれらの実施形態を参照して詳細に説明する。添付図面では、同一または同様の参照番号は同一または同様の要素を指す。添付図面を参照した本開示の実施形態についての以下の説明は、本発明の一般的な発明概念を示すものであり、本発明を限定するものと解釈すべきではない。
【００２５】
加えて、以下の詳細な説明では、説明の目的で、開示する実施形態の徹底的な理解をもたらすために、多数の具体的な詳細について述べる。しかしながら、これらの具体的な詳細がなくても１つまたは複数の実施形態を実施することができることが明らかであろう。他の場合、図面を簡略化するために、周知の構造およびデバイスは概略的に示す。
【００２６】
本開示の一般的な技術概念によれば、コネクタの絶縁ハウジングに取り付けるように構成された導電性端子であって、導電性端子の前部に位置し、相手側コネクタの相手側端子に係合するように構成された嵌合部と、導電性端子の後部に位置し、ワイヤ上に圧着するように構成された圧着部とを備え、押圧部が圧着部の後端部に形成されて外方に延び、導電性端子は、押圧部を押すことによってコネクタの絶縁ハウジング内に保持することができる導電性端子が提供される。
【００２７】
図１は、本開示の例示的な実施形態によるコネクタの斜視図である。図２は、図１に示したコネクタの導電性端子２００の斜視図である。
【００２８】
図示した実施形態において、図１および図２に示すように、導電性端子２００は、コネクタの絶縁ハウジング１００に取り付けるように構成されている。導電性端子２００は、嵌合部２１０と圧着部２２０、２３０とを主に備えている。嵌合部２１０は、導電性端子２００の前部に位置し、相手側コネクタ（図示せず）の相手側端子に係合するように構成されている。圧着部２２０、２３０は、導電性端子２００の後部に位置し、ワイヤ（図示せず）上に圧着するように構成されている。
【００２９】
図示した実施形態において、図１および図２に示すように、押圧部２４０が圧着部２２０、２３０の後端部に形成されて外方に延び、押圧部２４０を押すことによってコネクタの絶縁ハウジング１００内に導電性端子２００を保持することができる。
【００３０】
図示した実施形態において、図１および図２に示すように、コネクタは、絶縁ハウジング１００に挿入された端子位置保証（ＴＰＡ）部材３００を備える。ＴＰＡ部材３００は、押圧部２４０を押すことによって導電性端子２００を絶縁ハウジング１００内に保持する。
【００３１】
図示した実施形態において、図１および図２に示すように、圧着部２２０、２３０は、ワイヤの裸導体上に圧着するように構成された第１の圧着部２２０と、第１の圧着部２２０の後方に位置し、ワイヤの絶縁シース上に圧着するように構成された第２の圧着部２３０とを備える。押圧部２４０は、第２の圧着部２３０の後端部に形成されている。
【００３２】
図示した実施形態において、図１および図２に示すように、外方に延びる押圧部２４０は、第２の圧着部２３０の後端部に形成され、コネクタのＴＰＡ部材３００は、押圧部２４０を押すことによって導電性端子２００を絶縁ハウジング１００内に保持する。
【００３３】
図示した実施形態において、図１および図２に示すように、平坦面２４０ａが押圧部２４０に形成され、ＴＰＡ部材３００の前端面に係合するように構成されている。ＴＰＡ部材３００の前端面は、押圧部２４０の平坦面２４０ａに当接して導電性端子２００を前方に押すように構成されている。
【００３４】
図示した実施形態において、図１および図２に示すように、第２の圧着部２３０は、Ｕ字形ベース２３１と、Ｕ字形ベース２３１の二辺からそれぞれ延びる一対の側部２３２とを備えている。
【００３５】
図示した実施形態において、図１および図２に示すように、押圧部２４０は第２の圧着部２３０のＵ字形ベース２３１に形成されている。
【００３６】
図示した実施形態において、図１および図２に示すように、Ｕ字形ベース２３１の後端面２３１ａは平坦面である。押圧部２４０はＵ字形ベース２３１の後端面２３１ａに接続され、Ｕ字形ベース２３１に対して約９０°外方に曲がっている。
【００３７】
図示した実施形態において、図１および図２に示すように、複数の押圧部２４０が第２の圧着部２３０の後端部に形成される。複数の押圧部２４０は第２の圧着部２３０の垂直二分面の両側に対称に配置されている。
【００３８】
図示した実施形態において、図１および図２に示すように、導電性端子２００の嵌合部２１０は、挿入キャビティを画定する。導電性端子２００の嵌合部２１０は、挿入キャビティに挿入された相手側コネクタの相手側端子を締め付けるように構成された一対の弾性コンタクトアーム２１２を有する。
【００３９】
図示した実施形態において、図１および図２に示すように、２つの開口部２１１が、嵌合部２１０における挿入キャビティの一対の側壁にそれぞれ形成され、弾性コンタクトアーム２１２の後端部が開口部２１１の後部側壁に接続され、弾性コンタクトアーム２１２の前端部が嵌合部２１０の挿入キャビティ内に突出している。
【００４０】
図示した実施形態において、図１および図２に示すように、導電性端子２００全体が、１枚の金属板から形成された１つの金属部品であってもよい。例えば、図２〜図４に示す導電性端子２００を、型打ち、曲げ加工などのプロセスによって１枚の金属板から形成することができる。
【００４１】
図３は、本開示の別の例示的な実施形態による導電性端子２００の斜視図である。
【００４２】
図示した実施形態において、図３に示すように、所定の深さの切欠き２３３がＵ字形ベース２３１の後端面２３１ａに形成され、押圧部２４０は切欠き２３３の底面に接続され、Ｕ字形ベース２３１に対して約９０°外方に曲がっている。本実施形態においては、押圧部２４０の少なくとも一部が切欠き２３３に収容されているため、第２の圧着部２３０の後方の空間を必ずしも占めることがなく、したがって、長手方向における導電性端子２００全体の大きさを縮小することができる。
【００４３】
図４は、本開示のさらに別の例示的な実施形態による導電性端子２００の斜視図である。
【００４４】
図示した実施形態において、図４に示すように、押圧部２４０が第２の圧着部２３０のＵ字形ベース２３１に形成されるだけでなく、押圧部２４０が第２の圧着部２３０の側部２３２にも形成される。本実施形態においては、押圧部２４０の数が増加しているため、ＴＰＡ部材３００と第２の圧着部２３０との接触面積を増加させることができる。したがって、ＴＰＡ部材３００は、絶縁ハウジング１００内により確実に安定して導電性端子２００を保持することができる。
【００４５】
図示した実施形態において、図４に示すように、側部２３２の押圧部２４０は、側部２３２の後端面２３２ａに接続され、側部２３２に対して約９０°外方に曲がっている。
【００４６】
本開示の別の例示的な実施形態において、コネクタも開示される。図１に示すように、コネクタは、絶縁ハウジング１００、導電性端子２００、およびＴＰＡ部材３００を主に備えている。導電性端子２００は絶縁ハウジング１００内に取り付けられる。ＴＰＡ部材３００を絶縁ハウジング１００に挿入して導電性端子２００の押圧部２４０を押すことによって、導電性端子２００を絶縁ハウジング１００内に保持する。
【００４７】
上記の実施形態は例示的なものであり、当業者であれば、構成上または原理上矛盾することなく、上記の実施形態に多くの修正を加えることができ、様々な実施形態に記載する様々な構造を互いに自由に組み合わせることができることを、当業者には理解されたい。
【００４８】
本開示について、添付図面を参照して詳細に説明したが、添付図面に開示する実施形態は、本開示の好ましい実施形態を例として説明するものであり、本開示に対する限定として解釈されるべきではないことを理解されたい。
【００４９】
いくつかの例示的な実施形態について図示および説明したが、本開示の原理および精神から逸脱することなく、これらの実施形態に様々な変更または修正を加えることができることが、当業者には理解されよう。本開示の範囲は、特許請求の範囲およびその均等物により定義される。
【００５０】
「備える」という用語は、他の要素またはステップを除外しないものであり、「ａ」または「ａｎ」という用語は、複数を除外しないものであることに留意されたい。加えて、特許請求の範囲におけるいかなる参照符号も、本開示の範囲の限定として解釈されるべきではない。
【図１】
2019160790.tif 000003
【図２】
2019160790.tif 000004
【図３】
2019160790.tif 000005
【図４】
2019160790.tif 000006
【外国語明細書】
2019160790000001.pdf